(57)【要約】【課題】使い捨て成人用失禁製品を使用する男性及び女性の異なる身体的特徴に対応するように閉じ込めフラップを提供する。【解決手段】本発明は、性別ごとに特化した閉じ込めフラップを有する性別ごとに特化した使い捨て吸収性物品の組に関する。一実施形態では、物品の組は、男性が着用するのに適している第１の使い捨て吸収性物品と、女性が着用するのに適している第２の吸収性物品とを含む。第１の使い捨て吸収性物品は、第１の１対の閉じ込めフラップを含み、第２の使い捨て吸収性物品は、第２の１対の閉じ込めフラップを含む。第１の１対の閉じ込めフラップは、少なくとも１つの構造的特徴において第２の１対の閉じ込めフラップと異なる。特定の実施形態では、異なる構造的特徴は、フラップ有効長、フラップ有効部分の長手方向位置、フラップ張力、フラップ高さ、遠位縁間間隔、及び近位縁間間隔からなる群から選択される。【選択図】図５
2011517985.tif 000002
【特許請求の範囲】
【請求項１】
性別ごとに特化した使い捨て吸収性物品の組であって、
男性が着用するのに適している第１の使い捨て吸収性物品と、
女性が着用するのに適している第２の使い捨て吸収性物品とを含み、
前記第１の使い捨て吸収性物品が、
衣服側の外側カバー、身体側ライナー、及び前記外側カバーと前記ライナーの間に挟装されかつ吸収体前縁及び吸収体後縁を画定する吸収性コアを含み、かつ、ウエスト開口部前縁、ウエスト開口部後縁、並びに前記ウエスト開口部の前縁及び後縁を結合する２つの側縁を画定するシャーシと、
前記シャーシ上に配置され、各々が近位縁及び遠位縁を画定し、各々が第１のフラップ有効長、第１のフラップ有効部分の長手方向位置、第１のフラップ張力及び第１のフラップ高さを有し、第１の遠位縁間間隔及び第１の近位縁間間隔を画定する第１の１対の閉じ込めフラップとを含み、
前記第２の使い捨て吸収性物品物品が、
衣服側の外側カバー、身体側ライナー、及び前記外側カバーと前記ライナーの間に挟装されかつ吸収体前縁及び吸収体後縁を画定する吸収性コアを含み、かつ、ウエスト開口部前縁、ウエスト開口部後縁、並びに前記ウエスト開口部の前縁及び後縁を結合する２つの側縁を画定するシャーシと、
前記シャーシ上に配置され、各々が近位縁及び遠位縁を画定し、各々が第２のフラップ有効長、第２のフラップ有効部分の長手方向位置、第２のフラップ張力及び第２のフラップ高さを有し、第２の遠位縁間間隔及び第２の近位縁間間隔を画定する第２の１対の閉じ込めフラップとを含み、
前記第１の１対の閉じ込めフラップが、少なくとも１つの構造的特徴において前記第２の１対の閉じ込めフラップと異なることを特徴とする性別ごとに特化した吸収性物品の組。
【請求項２】
前記構造的特徴が、フラップ有効長、フラップ有効部分の長手方向位置、フラップ張力、フラップ高さ、遠位縁間間隔、及び近位縁間間隔からなる群から選択されることを特徴とする請求項１の性別ごとに特化した吸収性物品の組。
【請求項３】
前記第１の１対の閉じ込めフラップと前記第２の１対の閉じ込めフラップとの前記構造的特徴における違いが、
前記第１の有効フラップ長さが前記第２のフラップ有効長より大きい、
前記第１のフラップ有効部分の長手方向位置が前記第２のフラップ有効部分の長手方向位置よりもさらに前方にある、
前記第１のフラップ張力が前記第２のフラップ張力より小さい、
前記第１のフラップ高さが前記第２のフラップ高さより大きい、
前記第１の遠位縁間間隔が前記第２の遠位縁間間隔より大きい、及び
前記第１の近位縁間間隔が前記第２の近位縁間間隔より大きい
からなる群から選択されることを特徴とする請求項１の性別ごとに特化した吸収性物品の組。
【請求項４】
前記物品が、パンツ型の成人用失禁物品であることを特徴とする請求項３の性別ごとに特化した吸収性物品の組。
【請求項５】
前記第１の１対の閉じ込めフラップが、少なくとも２つの構造的特徴において前記第２の１対の閉じ込めフラップと異なることを特徴とする請求項１の性別ごとに特化した吸収性物品の組。
【請求項６】
前記第１の物品が第１のパッケージ内に包含され、前記第２の物品が第２のパッケージ内に包含され、
前記第１のパッケージが、前記第１の物品は男性が使用するのに適していることを表すマークを含み、前記第２のパッケージが、前記第２の物品は女性が使用するのに適していることを表すマークを含むことを特徴とする請求項１の性別ごとに特化した吸収性物品の組。
【請求項７】
前記第１のパッケージ上の前記マークが、前記第１の物品は男性のための保護の問題に対処するのに一意的に適していることを表しており、前記第２のパッケージ上の前記マークが、前記第２の物品は女性のための保護の問題に対処するのに一意的に適していることを表していることを特徴とする請求項６の性別ごとに特化した吸収性物品の組。
【請求項８】
性別ごとに特化した吸収性物品をマーケティングする方法であって、
男性が着用するのに適している第１の使い捨て吸収性物品を提供するステップと、
女性が着用するのに適している第２の使い捨て吸収性物品を提供するステップと、
前記第１及び第２の使い捨て吸収性物品を同時に売り出すステップとを含み、
前記第１の使い捨て吸収性物品が、
衣服側の外側カバー、身体側ライナー、及び前記外側カバーと前記ライナーの間に挟装されかつ吸収体前縁及び吸収体後縁を画定する吸収性コアを含み、かつ、ウエスト開口部前縁、ウエスト開口部後縁、並びに前記ウエスト開口部の前縁及び後縁を結合する２つの側縁を画定するシャーシと、
前記シャーシ上に配置され、各々が近位縁及び遠位縁を画定し、各々が第１のフラップ有効長、第１のフラップ有効部分の長手方向位置、第１のフラップ張力及び第１のフラップ高さを有し、第１の遠位縁間間隔及び第１の近位縁間間隔を画定する第１の１対の閉じ込めフラップとを含み、
前記第２の使い捨て吸収性物品が、
衣服側の外側カバー、身体側ライナー、及び前記外側カバーと前記ライナーの間に挟装されかつ吸収体前縁及び吸収体後縁を画定する吸収性コアを含み、かつ、ウエスト開口部前縁、ウエスト開口部後縁、並びに前記ウエスト開口部の前縁及び後縁を結合する２つの側縁を画定するシャーシと、
前記シャーシ上に配置され、各々が近位縁及び遠位縁を画定し、各々が第２のフラップ有効長、第２のフラップ有効部分の長手方向位置、第２のフラップ張力及び第２のフラップ高さを有し、第２の遠位縁間間隔及び第２の近位縁間間隔を画定する第２の１対の閉じ込めフラップとを含み、
前記第１の１対の閉じ込めフラップが、少なくとも１つの構造的特徴において前記第２の１対の閉じ込めフラップと異なることを特徴とする性別ごとに特化した吸収性物品をマーケティングする方法。
【請求項９】
前記構造的特徴が、フラップ有効長、フラップ有効部分の長手方向位置、フラップ張力、フラップ高さ、遠位縁間間隔、及び近位縁間間隔からなる群から選択されることを特徴とする請求項８の性別ごとに特化した吸収性物品をマーケティングする方法。
【請求項１０】
前記第１の１対の閉じ込めフラップと前記第２の１対の閉じ込めフラップとの前記構造的特徴における違いが、
前記第１の有効フラップ長さが前記第２のフラップ有効長より大きい、
前記第１のフラップ有効部分の長手方向位置が前記第２のフラップ有効部分の長手方向位置よりもさらに前方にある、
前記第１のフラップ張力が前記第２のフラップ張力より低い、
前記第１のフラップ高さが前記第２のフラップ高さより大きい、
前記第１の遠位縁間間隔が前記第２の遠位縁間間隔より大きい、及び
前記第１の近位縁間間隔が前記第２の近位縁間間隔より大きい
からなる群から選択されることを特徴とする請求項８の性別ごとに特化した吸収性物品をマーケティングする方法。
【請求項１１】
前記物品が、パンツ型の成人用失禁物品であることを特徴とする請求項１０の性別ごとに特化した吸収性物品をマーケティングする方法。
【請求項１２】
前記第１の１対の閉じ込めフラップが、少なくとも２つの構造的特徴において前記第２の１対の閉じ込めフラップと異なることを特徴とする請求項８の性別ごとに特化した吸収性物品をマーケティングする方法。
【請求項１３】
前記第１の物品が第１のパッケージ内に包含されており、前記前記第２の物品が第２のパッケージ内に包含されており、
前記第１のパッケージが、前記第１の物品は男性が使用するのに適していることを表すマークを含み、前記第２のパッケージが、前記第２の物品は女性が使用するのに適していることを表すマークを含むことを特徴とする請求項８の性別ごとに特化した吸収性物品をマーケティングする方法。
【請求項１４】
前記第１のパッケージ上の前記マークが、前記第１の物品が男性のための保護の問題に対処するのに一意的に適していることを表しており、前記第２のパッケージ上の前記マークが、前記第２の物品が女性のための保護の問題に対処するのに一意的に適していることを表していることを特徴とする請求項１３の性別ごとに特化した吸収性物品をマーケティングする方法。
【請求項１５】
前記第１及び第２の使い捨て吸収性物品に注意を向け、かつ前記第１の使い捨て吸収性物品は男性が使用するのに適しており、前記第２の使い捨て吸収性物品は女性が使用するのに適していることを示すような、有形的表現媒体において具現化されたメッセージを提供するステップをさらに含むことを特徴とする請求項８の性別ごとに特化した吸収性物品をマーケティングする方法。
【発明の詳細な説明】
【技術分野】
【０００１】
本発明は、性別ごとに特化した閉じ込めフラップを有する使い捨て吸収性物品に関する。
【背景技術】
【０００２】
人々は、日常生活において、成人用失禁製品、尿パンツ、トレーニングパンツ、おむつなどの物品を含む使い捨て吸収性製品を使用している。多くの製造業者が、そのような製品の使用者のニーズをより一層満たすように努めている。例えば、吸収性を向上させた製品の開発を目指す製造業者もあれば、フィット性の向上に努める製造業者もあり、漏れの減少に努める製造業者もある。
【０００３】
男性と女性は、体組成（例えば筋肉率）が異なり、骨格構造が異なり、年のとり方が異なる。男性は、年をとるにつれて脚の筋肉量が低下し、脚が細くなる傾向がある。実際に、典型的な男性の成人用失禁物品使用者の脚囲は、実際には典型的な女性の成人用失禁物品使用者の脚囲より小さくなり得る。これは、直観に反する発見である。また、解剖学的理由により、男性は通常、身体の前方に向かって放尿するが、女性は男性に比べて身体の下方で放尿する。さらに、男性の臀部及び鼠径部の形状は、女性の臀部及び鼠径部とは異なっている。
【０００４】
我々は、使い捨て成人用失禁製品を使用する男性及び女性のこれらと他の異なる身体的特徴に対応する製品デザイン、製品ライン、またはマーケティング方法に気付いていない。
【０００５】
使用者にとって重要な１つの特徴は、物品が尿などの流体の漏れを最小限に抑える能力である。漏れを最小限に抑えるのに役立つように、使い捨て吸収性物品は、身体滲出物の横方向の流れに対するバリアを提供するように構成された１対の閉じ込めフラップを用い得る。よくある構造においては、フラップに弾性を持たせるために、各閉じ込めフラップに１若しくは複数のフラップ弾性部材が機能的に連結される。弾性を持たせた閉じ込めフラップは、直立な、略垂直形状をとりかつ着用者の身体に対するシールを形成し得る非取付け縁部を画定する。フラップの対向する端部は、物品に取り付けられる。閉じ込めフラップの例示的な構造及び配置については、例えば特許文献１に概略的に記載されている。
【先行技術文献】
【特許文献】
【０００６】
【特許文献１】米国特許第４，７０４，１１６号明細書
【特許文献２】米国特許第３，８４９，２４１号明細書
【特許文献３】米国特許第５，２１３，８８１号明細書
【発明の概要】
【発明が解決しようとする課題】
【０００７】
閉じ込めフラップは、トレーニングパンツ、尿パンツ、おむつ、成人用おむつ、成人用プルオン式使い捨て吸収性下着を含む多くの種類の使い捨て吸収性物品に用いられることができるが、閉じ込めフラップは、成人用プルオン式使い捨て吸収性下着にはこれまで一般的に用いられてはいなかった。さらに、先行技術には、性能を全般的に向上させるように閉じ込めフラップの構造を変える試みは豊富に示されているが、使い捨て成人用失禁製品を使用する男性及び女性の異なる身体的特徴に対応するように閉じ込めフラップを製作しようとする試みはなかった。
【課題を解決するための手段】
【０００８】
一態様では、本発明は、性別ごとに特化した閉じ込めフラップを有する性別ごとに特化した使い捨て吸収性物品の組に関連する。一実施形態では、物品の組は、男性が着用するのに適している第１の使い捨て吸収性物品と、女性が着用するのに適している第２の吸収性物品とを含む。第１の使い捨て吸収性物品は第１の１対の閉じ込めフラップを含み、第２の使い捨て吸収性物品は第２の１対の閉じ込めフラップを含む。第１の１対の閉じ込めフラップは、少なくとも１つの構造的特徴において第２の１対の閉じ込めフラップと異なる。特定の実施形態では、異なる構造的特徴は、フラップ有効長、フラップ有効部分の長手方向位置、フラップ張力、フラップ高さ、遠位縁間間隔、及び近位縁間間隔からなる群から選択される。特定の実施形態では、第１の１対の閉じ込めフラップと第２の１対の閉じ込めフラップとの構造的特徴における違いは、第１の有効フラップ長さが第２のフラップ有効長より大きい、第１のフラップ有効部分の長手方向位置が第２のフラップ有効部分の長手方向位置よりもさらに前方にある、第１のフラップ張力が第２のフラップ張力より低い、第１のフラップ高さが第２のフラップ高さより大きい、第１の遠位縁間間隔が第２の遠位縁間間隔より大きい、及び、第１の近位縁間間隔が第２の近位縁間間隔より大きい、からなる群から選択される。
【０００９】
別の態様では、本発明は、性別ごとに特化した吸収性物品をマーケティングする方法に関連する。一実施形態では、本方法は、男性が着用するのに適している第１の使い捨て吸収性物品と、女性が着用するのに適している第２の吸収性物品とを含む性別ごとに特化した吸収性物品の組を提供するステップを含む。第１の使い捨て吸収性物品は、第１の１対の閉じ込めフラップを含み、第２の使い捨て吸収性物品は、第２の１対の閉じ込めフラップを含む。第１及び第２の閉じ込めフラップは、例えば上記した態様のうちの１若しくは複数において、いくつかの構造上の点において異なる。特定の実施形態では、本方法は、さらに、第１及び第２の使い捨て吸収性物品を同時に売り出すステップを含む。
【００１０】
さらに別の態様では、本発明は、性別ごとに特化した閉じ込めフラップと、少なくとも１つのさらなる性別ごとに特化した特徴とを共に有するような、性別ごとに特化した使い捨て吸収性物品の組に関連する。以下の段落では、そのようなさらなる性別ごとに特化した特徴を含む吸収性物品の組の或る形態を要約する。
【００１１】
１つのそのような代表的な形態は、使い捨て成人用失禁物品の組であって、第１の前方長さを有しかつ女性が着用するのに適している第１の使い捨て成人用失禁物品と、第２の前方長さ有しかつ男性が着用するのに適している第２の使い捨て成人用失禁物品とを含み、第１の前方長さは、第２の前方長さより短い該組である。本願において、「前方長さ」なる語は、ウエスト開口部前縁とレッグ開口部前縁との間の最短距離を指す。
【００１２】
別のそのような代表的な形態は、使い捨て失禁物品の組であって、第１のレッグ開口部前縁を有しかつ女性が着用するのに適している第１の使い捨て成人用失禁物品と、第２のレッグ開口部前縁を有しかつ男性が着用するのに適している第２の使い捨て成人用失禁物品とを含み、第１のレッグ開口部前縁は、第２のレッグ開口部前縁よりもウエスト開口部前縁に向かって凸状をなす該組である。すなわち、女性が着用するのに適している物品の第１のレッグ開口部前縁によって画定される境界線は、男性が着用するのに適している物品の第２のレッグ開口部前縁によって画定される境界線に比べて、ウエスト開口部前縁に（かつ、レッグ開口部縁部によって境界されるかまたは部分的に境界される開放空間から離れて）曲線を描いている。本願において、この特徴を有する女性用物品は、対応する男性用物品のレッグ開口部前縁に比べて、より大きな凸状部分を有する（あるいは、より大きな凸状部分を有する境界線を確立する）レッグ開口部前縁を含む。
【００１３】
別のそのような代表的な形態は、使い捨て失禁物品の組であって、第１のレッグ開口部後縁を有しかつ女性が着用するのに適している第１の使い捨て成人用失禁物品と、第２のレッグ開口部後縁を有しかつ男性が着用するのに適している第２の使い捨て成人用失禁物品とを含み、第１のレッグ開口部後縁は、第２のレッグ開口部後縁よりもウエスト開口部後縁に向かって凹状をなす該組である。すなわち、女性が着用するのに適している物品の第１のレッグ開口部後縁によって画定される境界線は、男性が着用するのに適している物品の第２のレッグ開口部後縁によって画定される境界線に比べて、ウエスト開口部後縁から離れて（かつ、レッグ開口部縁部によって境界されるかまたは部分的に境界される開放空間に向かって）曲線を描いている。本願において、このを特徴有する女性用物品は、対応する男性用物品のレッグ開口部後縁に比べて、より大きな凹状部分を有する（あるいは、より大きな凸状部分を有する境界線を確立する）レッグ開口部後縁を含む。
【００１４】
別のそのような代表的な形態は、使い捨て成人用失禁物品の組であって、第１の股幅を有しかつ女性が着用するのに適している第１の使い捨て成人用失禁物品と、第２の股幅を有しかつ男性が着用するのに適している第２の使い捨て成人用失禁物品とを含み、第１の股幅は、第２の股幅より小さい該組である。本願において、「股幅」なる語は、互いに対向するレッグ開口部側縁に最も近い互いに対向する弾性部材の外側境界線間の最短距離を指す。例えば、各レッグ開口部側縁付近に３本の弾性ストランドが用いられているならば、「股幅」は、（１）第１のレッグ開口部側縁に隣接した３本の弾性ストランドのうち、第１のレッグ開口部側縁に最も近い当該ストランドの外側境界線と（２）対向する第２のレッグ開口部側縁に隣接した３本の弾性ストランドのうち、対向する第２のレッグ開口部側縁に最も近い当該ストランドの外側境界線との間の最短距離に等しい。
【００１５】
別のそのような代表的な形態は、使い捨て成人用失禁物品の組であって、第１のガスケット幅を有しかつ女性が着用するのに適している第１の使い捨て成人用失禁物品と、第２のガスケット幅を有しかつ男性が着用するのに適している第２の使い捨て成人用失禁物品とを含み、第１のガスケット幅が、第２のガスケット幅より小さい該組である。本願において、「ガスケット幅」なる語は、股部分において、ウエスト開口部縁部に平行な横方向（図１、図２及び明細書の関連箇所を参照）の、レッグ開口部側縁の中央を二等分する線に沿って、吸収性コア（例えばフラッフ／高吸収性コア）の側縁と一番近いレッグ開口部側縁に最も近い弾性部材の外側境界線との間の距離を指す。起こり得るように、フラッフ及び高吸収体を含むコアなどの吸収性コアが透液性の身体側ライナーと不透液性外側カバーの間に配置されている場合には（ライナーと外側カバーの間に挟装された吸収性コアを含む吸収性インサートまたはアセンブリと同様に）、吸収性コアの側縁は、吸収性コアを包み込みかつ吸収性コアを越えて延在するのを助ける基材の境界線ではなく、フラッフ／高吸収性コアの境界線に位置する。
【００１６】
別のそのような代表的な形態は、使い捨て成人用失禁物品の組であって、第１のレッグ開口部周縁部を有しかつ女性が着用するのに適している第１の使い捨て成人用失禁物品と、第２のレッグ開口部周縁部を有しかつ男性が着用するのに適している第２の使い捨て成人用失禁物品とを含み、第１のレッグ開口部周縁部の長さは、第２のレッグ開口部周縁部の長さより大きい該組である。本願において、「レッグ開口部周縁部」なる語は、実質的に平らに広げられた状態の使い捨て成人用失禁物品におけるレッグ開口部の周縁部を指す。図１及び図２に示す例示的な物品は、実質的に平らに広げられた状態にある。
【００１７】
別のそのような代表的な形態は、使い捨て成人用失禁物品の組であって、第１の図柄が配置されかつ女性が着用するのに適している第１の使い捨て成人用失禁物品と、第２の図柄が配置されかつ男性が着用するのに適している第２の使い捨て成人用失禁物品とを含み、第１の図柄は、第２の図柄と異なる該組である。１つの例示的な実施形態では、第１及び第２の図柄は、物品のウエスト部分に隣接した材料上に配置されているが、異なる色の１若しくは複数のストライプ（例えば、男性が着用するのに適している物品上には１若しくは複数のブルーのストライプ、女性が着用するのに適している物品上には１若しくは複数のピンクのストライプ）を含む。当然ながら、そのような図柄は、上記した発明の特徴のうちの１若しくは複数と共に用いられ得る。
【００１８】
別のそのような代表的な形態は、使い捨て成人用失禁物品の組であって、上記した性別ごとに特化した特徴のうちの１若しくは複数を含み、女性が着用するのに適している第１の使い捨て成人用失禁物品は、第１のウエスト／吸収体距離を有する吸収体をさらに含み、男性が着用するのに適している第２の使い捨て成人用失禁物品は、第２のウエスト／吸収体距離を有し、第１のウエスト／吸収体距離は、第２のウエスト／吸収体距離より大きい該組である。「ウエスト／吸収体距離」なる語は、ウエスト開口部の前縁と吸収性コアの前縁の間の最小距離を指す。この場合もやはり、上記したように、吸収性コアの縁部は、例えば、（もしも、これらの基材の縁部が、そうであるかもしれないように、吸収性コアそのものの境界線を越えて延在する場合には、コアを包含するのを助ける基材の縁部ではなく）フラッフ／高吸収性コアの縁部を指す。
【００１９】
別のそのような代表的な形態は、使い捨て成人用失禁物品の組であって、上記した性別ごとに特化した寸法的特徴（例えば長さ、幅、距離、または他のそのような測定値を対象とする発明の特徴）または装飾的特徴（例えば物品上に図柄を配置することを対象とする発明の特徴）のうちの１若しくは複数を含み、女性が着用するのに適している第１の使い捨て成人用失禁物品は、第１の前方領域を有する吸収性コアをさらに含み、男性が着用するのに適している第２の使い捨て成人用失禁物品は、第２の前方領域を有する吸収性コアを有し、第１の前方領域は、第２の前方領域より小さい該組である。「前方領域」なる語は、吸収性コア（例えばフラッフ／高吸収性コア）について説明するときには、吸収性コアを含む物品が実質的に平らに広げられた状態にあるときに測定されるような、物品を二等分する仮想的な横方向の線の前方の吸収性コアの身体側表面の領域を指す（例えば、一部の物品に関して、実質的に平らに広げられた状態は、概ね砂時計形形状に相当する）。例えば、物品が実質的に平らに広げられた状態にあり、図１及び図２に示す形態のように砂時計形形状を有する（大文字の「Ｉ」に概ね類似した形状を有する）場合には、仮想的な横方向の線は、ウエスト開口部前縁とウエスト開口部後縁の中間の水平線になる（すなわち、仮想的な横方向の線は、文字「Ｉ」を構成する上下の水平線の中間の水平線になる）。
【００２０】
本発明の別のそのような代表的な形態は、使い捨て成人用失禁物品の組であって、上記した性別ごとに特化した寸法的特徴（例えば長さ、幅、距離、または他のそのような測定値を対象とする発明の特徴）または装飾的特徴（例えば物品上に図柄を配置することを対象とする発明の特徴）のうちの１若しくは複数を含み、女性が着用するのに適している第１の使い捨て成人用失禁物品は、第１の前方横方向スパンを有する吸収性コアをさらに含み、男性が着用するのに適している第２の使い捨て成人用失禁物品は、第２の前方横方向スパンを有する吸収性コアを有し、第１の前方横方向スパンは、第２の前方横方向スパンより小さい該組である。「前方横方向スパン」なる語は、吸収性コア（例えばフラッフ／高吸収性コア）について説明するときには、実質的に平らに広げられた状態における、ウエスト開口部縁部に平行な横方向（図１、図２及び明細書の関連箇所を参照）の、物品を二等分する仮想的な横方向の線の前方の吸収性コアの左右の長手方向縁部間の最長距離を指す（例えば、多くの物品に関して、実質的に平らに広げられた状態は、概ね砂時計のような形状に相当する）。
【００２１】
本発明の別のそのような代表的な形態は、使い捨て成人用失禁物品の組であって、上記した性別ごとに特化した本発明の寸法的特徴（例えば長さ、幅、距離、または他のそのような測定値を対象とする発明の特徴）または装飾的特徴（例えば物品上に図柄を配置することを対象とする発明の特徴）または他の特徴を含み、女性が着用するのに適している第１の使い捨て成人用失禁物品は、第１の記述が載っている第１のパッケージ内に包含されており、男性が着用するのに適している第２の使い捨て成人用失禁物品は、第２の記述が載っている第２のパッケージ内に包含されており、第１の記述は、物品を女性による物品の使用と結び付け、第２の記述は、物品を男性による物品の使用と結び付ける該組である。
【００２２】
本発明の別の代表的な形態では、性別ごとに特化した使い捨て成人用失禁物品の組は、性別ごとに特化した構造的特徴を含む１対の閉じ込めフラップを含む性別ごとに特化した使い捨て成人用失禁物品と、第２の１対の閉じ込めフラップを含む男女共用使い捨て成人用失禁物品とを含む。換言すれば、男性が着用するのに適している物品と女性が着用するのに適している物品との比較が行われるのではなく、（１）女性が着用するのに適している物品と男女共用物品の比較、または（２）男性が着用するのに適している物品と男女共用物品の比較のいずれかが行われる。「男女共用」は、男女どちらも着用することができる物品を指す。男女共用物品と、男性が着用するのに適している物品または女性が着用するのに適している物品のいずれかとの比較が行われている間、組内に存在しない性別ごとに特化した物品の代わりに男女共用物品が用いられている以外は、上記した関係は尚も適用できる。換言すれば、性別ごとに特化した使い捨て成人用失禁物品の組が、女性が着用するのに適している使い捨て成人用失禁物品と、男女共用物品とから構成される（従って、この組には男性が着用するのに適している物品が含まれない）場合には、例えば、女性用物品は、女性用吸収性物品において使用するのに適している１若しくは複数の構造的特徴を有する１対の閉じ込めフラップを含み得る。その一方で、性別ごとに特化した使い捨て成人用失禁物品の組が、男性が着用するのに適している使い捨て成人用失禁物品と、男女共用物品とから構成される（従って、この組には女性が着用するのに適している物品が含まれない）場合には、例えば、男性用物品は、男性用吸収性物品において使用するのに適している１若しくは複数の構造的特徴を有する１対の閉じ込めフラップを含み得る。
【００２３】
本願において、「フィット特徴」は、前方長さ、レッグ開口部前縁の形状（すなわち、縁部の突出度）、レッグ開口部後縁の形状（すなわち、当該縁部の凹み度）、レッグ開口部周縁部の長さ、ガスケット幅のうちの１若しくは複数を指す。また、本願において、「レッグ開口部特徴」は、前方長さ、レッグ開口部前縁の形状、レッグ開口部後縁の形状、レッグ開口部周縁部の長さのうちの１若しくは複数を指す。
【００２４】
さらなる（すなわち、性別ごとに特化したフラップに追加して）性別ごとに特化した特徴を有する吸収性物品の他の形態は、特定の性に適したフィット特徴を含む。さらに他の形態は、フィット特徴と命名されかつ特定の性に適している特徴群の様々な組合せを含む。
【００２５】
さらなる（すなわち、性別ごとに特化したフラップに追加して）性別ごとに特化した特徴を有する吸収性物品の他の形態は、特定の性に適したレッグ開口部特徴を含む。さらに他の形態は、レッグ開口部特徴と命名されかつ特定の性に適している特徴群の様々な組合せを含む。
【図面の簡単な説明】
【００２６】
【図１】男性が着用するのに適している使い捨て成人用失禁物品の１つの代表的な例を示す。
【図２】女性が着用するのに適している使い捨て成人用失禁物品の１つの代表的な例を示す。
【図３】男性が着用するのに適している使い捨て成人用失禁物品の１つの代表的な例を示す。
【図４】女性が着用するのに適している使い捨て成人用失禁物品の１つの代表的な例を示す。
【図５】図３の物品に閉じ込めフラップを付加したものを示す。
【図６】図４の物品に閉じ込めフラップを付加したものを示す。
【図７】閉じ込めフラップを有する吸収体アセンブリの１つの代表的な例を示す。
【図８ａ】図７の吸収体アセンブリの８ａ−８ａ断面図。
【図８ｂ】図７の吸収体アセンブリの８ｂ−８ｂ断面図。
【発明を実施するための形態】
【００２７】
本明細書の中では、以下の各用語または語句は、次の意味を持つ。
【００２８】
「取付け」及びその派生語は、２つの要素の連結、接着、結合、接合、縫い合わせ、または同様のことを指す。２つの要素は、両者が互いに一体であるか、互いに直接取り付けられるか、各々が中間要素に直接取り付けられるときのように互いに間接的に取り付けられるときに、相互に取り付けられると考えられる。「取付け」及びその派生語は、取り外し不可能、取り外し可能、または繰り返し締結可能な取付けを含む。なお、取付けは、製造工程中に、または最終使用者によって、遂行されることができる。
【００２９】
「接合」及びその派生語は、２つの要素の連結、接着、結合、取付け、縫い合わせ、または同様のことを指す。２つの要素は、両者が互いに直接接合されるか、各々が中間要素に直接接合されるときのように互いに間接的に接合されるときに、相互に接合されると考えられる。「接合」及びその派生語は、取り外し不可能、取り外し可能、または繰り返し締結可能な接合を含む。
【００３０】
「結合」及びその派生語は、２つの要素の連結、接着、接合、取付け、縫い合わせ、または同様のことを指す。２つの要素は、両者が互いに直接結合されるか、各々が中間要素に直接結合されるときのように互いに間接的に結合されるときに、相互に結合されると考えられる。「結合」及びその派生語は、取り外し不可能、取り外し可能、または繰り返し締結可能な結合を含む。なお、結合は、製造工程中に、または最終使用者によって、遂行されることができる。
【００３１】
「使い捨て」は、再使用のために洗濯されるかまたは別な方法で元の状態に戻されるのではなく、限られた回数の使用の後に排気されるようにデザインされている物品を指す。
【００３２】
「〜上に配置される」、「〜に沿って配置される」、「〜と共に配置される」、または「〜に向かって配置される」なる語及びそれらの変型は、一方の要素が他方の要素と一体になることができるか、または一方の要素が他方の要素に接合されるか、他方の要素と共に置かれるか、他方の要素の近くに置かれることができることを意味することを意図したものである。
【００３３】
「繊維」は、長さ対直径または幅の比が大きい連続的または非連続的部材を指す。それゆえ、繊維は、フィラメント、糸、ストランド、紡績糸、または任意の他の部材、あるいはこれらの部材の組合せであり得る。
【００３４】
「層」は、単数形で用いられるとき、単数の要素または複数の要素の二重の意味を有する場合がある。
【００３５】
「不透液性」は、単層または多層積層体について説明する際に用いられるとき、通常の使用状態下で、尿などの液体が、液体が接触する箇所で、層または積層体を、層または積層体の平面に略垂直な方向に通過しないことを意味する。
【００３６】
「透液性」は、不透液性でない任意の材料を指す。
【００３７】
「メルトブローン」は、溶融した熱可塑性材料を、複数の微細な、通常は円形の紡糸口金から、溶融した糸状体またはフィラメントとして、一般的には加熱された、集束する高速気流（例えば空気流）中に押し出し、気流中で溶融熱可塑性材料のフィラメント径を細化させることによって形成される繊維を指す。その後、メルトブローン繊維は、高速ガス流によって運ばれ、集積表面上に堆積されて、ランダムな繊維配列のメルトブローン繊維のウェブを形成する。そのような工程は、例えば特許文献２に開示されている。メルトブロー法を用いて、マクロファイバ（平均径約４０ないし約１００ミクロン）、織物タイプの繊維（平均径約１０ないし４０ミクロン）、マイクロファイバ（平均径約１０ミクロン未満）を含む様々な寸法の繊維を作ることができる。メルトブロー法は、超微細マイクロファイバ（平均径約３ミクロンまたはそれ以下）を含むマイクロファイバを製造するのに特に適している。超微細マイクロファイバを製造する例示的な工程の説明は、例えば特許文献３に見つけられるであろう。メルトブローン繊維は、連続または不連続であり得、一般的には集積表面上に堆積されると自己接合する。
【００３８】
「部材」は、単数形で用いられるとき、単数の要素または複数の要素の二重の意味を有する場合がある。
【００３９】
「不織布」及び「不織布ウェブ」は、布地の織りまたは編み工程に頼らないで形成される材料及び材料のウェブを指す。例えば、不織布材料、布帛またはウェブは、例えば、メルトブロー法、スパンボンディング法、エアレイ法、ボンデッドカーデッドウェブ法などの数多くの工程から形成されてきた。
【００４０】
これらの語は、本明細書の他の部分で追加的言語により定義され得る。
【００４１】
本発明の数々の特徴は、長さの測定値に関連していることに留意されたい。多くの場合、一方の縁部からもう一方の縁部までの距離を測定するために、簡単な尺度が用いられ得る。当然ながら、より複雑な技術が用いられることもある（例えば、連続した曲線を含み得るようなレッグ開口部周縁部の長さを測定するときなど）。例えば、顕微鏡写真が準備されかつ解析されることができる。そのような画像は、デジタル化され、適切なアルゴリズムを用いて長さを測定することができる。あるいは、機械装置が用いられることもある。本発明の形態の多くは、２つの製品を含む組に関するので、或る組内の２つの製品の特徴（例えば前方長さ）を比較するときには、同じ測定技術を用いることが重要である。
【００４２】
一般的に、本発明の性別ごとに特化した使い捨て物品（例えば成人用失禁物品など）は、当分野で既知の方法及び工程を用いて製造されるが、男性が着用するのに適している物品における１若しくは複数の特徴とは異なる女性が着用するのに適している物品における１若しくは複数の特徴を生み出すように構成される。上記したように、男性及び女性の生理学的特性の解析により、性別ごとに特化したデザインが得られたが、その特徴については以下の段落で詳細に説明する。
【００４３】
図１は、男性が着用するのに適している使い捨て成人用失禁物品の例示的な形態を示す。図１は、前部部分の２つの側縁を後部部分の２つの側縁にそれぞれ取り付けて１つのウエスト開口部及び２つのレッグ開口部を有する物品を形成する前の、実質的に平らに広げられた状態の物品の平面図を示す。前部部分、後部部分、及びこれらのそれぞれの側縁は、下記にて特定する。
【００４４】
上記したように、物品は、前部部分２及び後部部分４を含む。前部部分及び後部部分は、股部分６によって相互に連結されている。一般的には、「シャーシ」なる語は、前部部分と、後部部分と、当該前部部分を当該後部部分に連結する股部分とを含む組合せを指すために用いられる。前部部分は２つの側縁８を有し、後部部分は２つの側縁１０を有する。物品を組み立てるとき、側縁８が側縁１０に取り付けられて、下着の形状に類似した、１つのウエスト開口部及び２つのレッグ開口部を有する形状を形成する。必要に応じて、２つの側縁は、（例えば、フックアンドループ型材料などのメカニカルファスナ、接着剤などを用いることによって）互いに着脱可能に係合され得る。また、前部及び後部部分の側縁同士は、互いに直接取り付けられる必要はないが、１若しくは複数の中間要素（例えばサイドパネル−図示せず）に取り付けられることがある。
【００４５】
前部部分は、ウエスト開口部前縁１２も有し、後部部分は、ウエスト開口部後縁１４を有する。側縁同士が互いに連結されるとき、ウエスト開口部縁部同士は、典型的には使用者の下胴の周りにフィットする周縁部を形成するように結合される。
【００４６】
本願において、レッグ開口部を画定する縁部は、レッグ開口部前縁１６、レッグ開口部後縁１８及びレッグ開口部側縁２０を含むものとして分類される。典型的には、レッグ開口部側縁の大部分は、物品の後部から前部へ伸びる仮想的な長手方向の中心線２２に幾分平行になる。レッグ開口部前縁及び後縁の大部分は、典型的には長手方向の中心線に平行にはならない。レッグ開口部は、このようにして、後述するような性別ごとに特化した物品の或る特徴同士を互いから区別するのに役立つように分類される。
【００４７】
物品は、典型的には吸収性コア２４を含むことになる。図示した代表的な例では、吸収性コアは、フラッフ（図示せず）と、高吸収性材料（図示せず）と、尿を素早く取り込み、分散させてフラッフ／高吸収性材料に吸収させるようにするのに役立つように構成されている任意選択のサージ材料２６とを含む。吸収性コアは、吸収性コア前縁２８及び吸収性コア側縁３０を含む。透液性身体側ライナーと不透液性衣服側の外側カバーの間に挟装された吸収性コアを含む吸収体アセンブリまたは吸収性インサートを、例えば砂時計様の基材に取り付けることによって製造された物品に関して、ライナー、外側カバー、またはその両者は、吸収性コアそのものの縁部を越えて延在し得る。例えば、一部の物品では、ライナー及び外側カバー（すなわち吸収性コアインサートの裏面シート）は、その中に含まれる吸収性コアの周縁部の周りで互いに取り付けられ、これらの材料の取付け領域は、吸収性コアの縁部を越えて延在する柔らかいフランジを形成し得る。そのようなフランジは、図１または図２に示されていない。
【００４８】
これらの様々な縁部は、さらに、男性が着用するのに適している使い捨て成人用失禁物品と女性が着用するのに適している使い捨て成人用失禁物品の間で可変の１若しくは複数の距離を画定するのに役立つ。既に述べたように、前方長さ３２は、レッグ開口部前縁１６とウエスト開口部前縁１２との間の最短距離である。図１において前方長さを明瞭に描くために、この距離を表す双頭矢印は、前部部分の２つの側縁８の一方から僅かにずれていることに留意されたい。しかし、この側縁がレッグ開口部前縁１６とウエスト開口部前縁１２との間の最短距離に相当する場合には、前方長さ３２は、実際には側縁８と重なる。
【００４９】
ウエスト／吸収体距離３６は、吸収性コア前縁２８とウエスト開口部前縁１２との間の最短距離である。
【００５０】
ガスケット幅３８は、股部分において、レッグ開口部側縁の中央を二等分する線に沿って横方向に延在するような、吸収性コア側縁３０とレッグ開口部側縁２０に最も近い弾性部材の外側境界線と間の距離である。図１においては、典型的には側縁に最も近い弾性部材の外側境界線と側縁そのものと間の長さを特徴付ける僅かな距離を表すことが難しいので、この距離を表す双頭矢印は、レッグ開口部側縁２０に届いていることに留意されたい。当然ながら、実際には、レッグ開口部側縁に最も近い弾性部材の外側境界線が側縁の内側にあれば（よくあることだが）、ガスケット幅は、側縁そのものではなく、弾性部材の外側境界線まで測定される。
【００５１】
股幅４０は、互いに対向するレッグ開口部側縁２０に最も近い互いに対向する弾性部材の外側境界線間の最短距離として画定される。図１においては、典型的には側縁に最も近い弾性部材の外側境界線と側縁そのものとの間の長さを特徴付ける僅かな距離を表すことが難しいので、この距離を表す双頭矢印は、レッグ開口部側縁２０に届いていることに留意されたい。
【００５２】
吸収性コア２４の前方領域は、実質的に平らに広げられた状態にあるときに物品を略二等分する仮想的な横方向の線（この仮想線は、図１及び図２に示されていないが、符号「４０」で表される双頭矢印と重なることになるであろう）とウエスト開口部前縁の間の、吸収性コアの前方領域の身体側表面領域に相当する。
【００５３】
前方横方向スパンまたは距離４６は、実質的に平らに広げられた状態にあるときに物品を二等分する仮想的な横方向の線とウエスト開口部前縁の間の位置（その位置については、図示した代表的な実施形態に関して、これまでの段落で述べた）の前方の吸収性コアの部分に関して、吸収性コアの左右の長手方向側縁３０間の最長距離に相当する。図示した実施形態に関して、吸収性コアの側縁３０は、股領域では曲線部分、前方領域では直線部分を有し、各直線部分が吸収性コアの前縁に向かって実質的に垂直に延在するような、幾分か複雑な境界線を確立することにも留意されたい。
【００５４】
図２は、女性が使用するのに適している使い捨て成人用失禁物品の１つの代表的な例であることを別にすれば、これらの同じ特徴を示している。これらの特徴が、女性が着用するのに適している物品において用いられる特徴に対応することを示すために図２中の符号に文字「Ｆ」が添えられていることを除いて、図１で用いた符号と同じ符号が図２中で用いられている。
【００５５】
下表１は、例示的な性別ごとに特化した物品の組における２つの物品を比較している。概要部で既に述べたように、本発明に従う性別ごとに特化した物品は、表１中に特定される特徴の全てを包含する必要はない。本発明は、この表に載っている特徴のみを含んでいる必要もない。
【表１】
2011517985.tif 000003
【００５６】
本明細書の他の部分で述べているように、性別ごとに特化した物品の組（女性が着用するのに適している使い捨て成人用失禁物品及び男性が着用するのに適している使い捨て成人用失禁物品を含む）の特定の実施形態の１つの特徴は、女性が着用するのに適している物品は、男性が着用するのに適している物品よりも前方長さが短いことである。これは、例えば、男性用物品のレッグ開口部前縁によって画定される境界線に比べて女性用物品のレッグ開口部前縁の方がウエスト開口部前縁に向かってより凸状をなす境界線を画定するときに、達成され得る。そのような凸状部分は、平均的な男性使用者の大腿部の形状に比べて、平均的な女性使用者の大腿部の形状により良好に適合するレッグ開口部を画定するのに役立つと考えられている。本明細書の他の部分で述べているように、男性は、年をとるにつれて、脚の筋肉量が低下する傾向があり、その結果、脚が細くなり、大腿上部の周囲が小さくなる。驚くべきことに、多くの男性の成人用失禁製品使用者の脚囲は、実際には多くの女性の成人用失禁製品使用者の脚囲より小さくなり得る。また、より短い前方長さを有するレッグ開口部前縁は、典型的な女性の物品使用者の大腿上部の曲率により良好に適合する境界線をもたらしやすい。
【００５７】
性別ごとに特化した物品の組に用いられ得る別の特徴は、男性が着用するのに適している対応する物品のレッグ開口部後縁によって画定される境界線に比べて、ウエスト開口部後縁に向かう方向においてより凹状をなす境界線を画定するレッグ開口部後縁を含むような、女性が着用するのに適している使い捨て成人用失禁物品である。女性用物品におけるより凹状をなす境界線は、典型的な女性使用者の臀部を確実に覆うのに役立つ。
【００５８】
性別ごとに特化した物品用に選択され得るさらに別の特徴は、対応する男性が着用するのに適している物品のためのレッグ開口部周縁部の長さより大きなレッグ開口部周縁部の長さを有するような、女性が着用するのに適している使い捨て成人用失禁物品である。
【００５９】
男女それぞれの生理機能に差があるので、性別ごとに特化した物品の組は、対応する男性用物品に比べて小さい股幅を有するような、女性が着用するのに適している使い捨て成人用失禁物品を含み得る。
【００６０】
男女の生理学的差異を考慮すると、身体から放出された尿が使い捨て吸収性物品と接触する箇所は男女で異なる。従って、男性が着用するのに適している物品における吸収体の位置を、物品の前方に移動させることができ、結果的に、ウエスト開口部前縁と吸収体の前縁間の距離を減少させる。これは、尿が最初に物品と接触する箇所が吸収性コア上にあることを確実にするのに役立つ。女性用物品は、男性用物品ほど前寄りでない排尿箇所との接触を確実にする所定位置に吸収性コアを用いる傾向がある。
【００６１】
前方領域及び／または吸収性コアの前方横方向スパンも、男性が着用するのに適している物品と女性が着用するのに適している物品とで異なり得る。男性が排尿する位置は、動き得るので、男性が着用するのに適している使い捨て成人用失禁物品における吸収性コアの全前方領域は、対応する女性用物品における前方領域より大きくなり得る。同様に、男性が着用するのに適している使い捨て成人用失禁物品における吸収性コアの前方横方向スパンを、対応する女性用物品における吸収性コアの前方横方向スパンより大きくすることができる。
【００６２】
本明細書の他の部分で説明しているように、男性が着用するのに適している物品上に配置される図柄とは異なる図柄が、女性が着用するのに適している物品上に配置され得る。一例では、所望の幅を有する１若しくは複数のストライプが、ウエスト開口部の前縁、後縁、またはその両者に隣接した位置において、物品の周縁部の周りに配置される。男性用物品上に配置されるストライプの形状、色、数、または他の特徴は、女性用物品上に配置されるものとは異なり得る。例えば、男性用物品のウエスト領域の周縁部（すなわちウエスト開口部に隣接した物品の部分）の周りには、ブルーのストライプが配置され得るが、対応する女性用物品のウエスト領域の周りには、ピンクのストライプが配置される。別の代表的な例では、物品を織物下着の形状及び外観にさらに似せるために、物品上に図柄が配置され得る。従って、例えば、男性用物品を、男性が着用する下着ブリーフに似せるために、物品上に図案的な前チャックまたは開口部が用いられ得る。
【００６３】
また、男性用使い捨て成人用失禁物品において、吸収性コアの縁部と一番近いレッグ開口部側縁に隣接した最も外側の弾性ストランドとの間の距離は、対応する女性用の物品における距離よりも大きいことがある。股領域における男女間の生理学的差異に起因して、この追加距離は、吸収性コアの縁部と一番近いレッグ開口部の側縁に隣接した最も外側の弾性部材との間の追加基材があることに概ね対応する。この基材は、典型的には柔らかく、レッグ開口部側縁に隣接した弾性部材を組み込むことになるものであり、ある意味では、尿を封じ込めるのに役立つガスケットとして機能する。本明細書の他の部分で述べているように、男性は年をとるにつれて筋肉量の低下によって脚囲が小さくなる傾向があり、多くの場合、女性の脚囲よりも小さくなることがある。従って、ガスケット幅の増加は、男性の大腿部の内面と吸収性コアの間に十分な材料の存在を確保するのに役立つ。
【００６４】
これまでの段落は、性別ごとに特化した使い捨て成人用失禁物品の組において用いられ得る様々な特徴の概要を述べており、これらの特徴は、女性が着用するのに適している物品と男性が着用するのに適している物品とで、何らかの形で異なる。性別ごとに特化した物品の組が、本願の他の部分で説明される新規な特徴のうちの１若しくは複数を用いる限り、物品そのものは、多くの異なる構成材及びサブアセンブリを用い得る。例えば、物品は、砂時計形の透液性基材（不織布など）と、それに取り付けられた砂時計形の不透液性基材（フィルムなど）と、不透液性基材と透液性基材の間に配置されたセルロース製フラッフ／高吸収体材料の吸収性コアとを含み得、これらはまとめて吸収体アセンブリを画定する。これらの基材のいずれもが、当然ながら、吸収性コア同様に、より複雑なもの（例えば不織布、フィルム、またはその両者の積層体；共発泡材料など）であることができる。また、様々な色素、悪臭防止剤、フィルタ、及び他の材料が用いられ得る。所望の位置において物品に弾性的性質を与える助けになるように、ストランドやウェブなどの弾性材料が用いられ得る。例えば、ストランドなどの弾性部材は、確実に体にぴったり合うようにするのに役立つように、レッグ開口部及びウエストの近くで用いられることが多い。また、ストランドなどの弾性部材は、使用者の下胴の周りで体にぴったり合うように、ウエスト開口部の下に配置されることが多い。例えば、互いに離間した実質的に平行な弾性ストランドが、胴の近くで２つの不織布材料間に挟装され得る。ストランドは、ストランドが引き伸ばされた状態にあるときに、典型的には接着剤を用いて、不織布表面に取り付けられることが多い。結果的に得られる積層体、すなわち２つの不織布表面間に挟装された弾性ストランドは、その後、収縮することが許容され、伸びたら元の形状に戻ることができるギャザー寄せされた基材を作り出す。
【００６５】
多くの異なる構成材及びサブアセンブリが使い捨て成人用失禁物品に用いられ得ることにも留意されたい。例えば、上記した砂時計形の不透液性基材及び透液性基材ではなく、１つの砂時計形の透液性基材（例えば、レッグ開口部、ウエスト開口部に隣接した位置、及び使用者の下胴に接触することになる物品の前部及び後部の一部などの特定の位置において、対向面間に弾性ストランドが配置されている互いに取り付けられた２つのポリプロピレン表面）が形成され得る。この透液性基材またはシャーシ３に、吸収体アセンブリ５０が取り付けられる。吸収体アセンブリは、フィルムなどの不透液性外側カバー５４と不織布などの透液性ライナー５２の間に挟装されたセルロース製フラッフ／高吸収性吸収性コア２４を含む。そのような構造は、図３〜図６に代表的に示されている。特定の実施形態では、砂時計形の透液性シャーシに吸収体アセンブリ５０が取り付けられるとき、シャーシに不透液性の外側カバーが取り付けられる。
【００６６】
他の構造も可能である。例えば、物品は、前部パネル（または部分）、後部パネル（または部分）を形成しかつ両者を吸収体アセンブリを含む股部分で取り付けることによって製造され得る。そして、そのような物品は、様々な締結システム（例えば、フックアンドループ型ファスナを用いるものなどの繰り返し締結可能なシステムを含む）、物品に取り付けられた別体をなすウエストバンド、サイドパネル（例えば弾性サイドパネル）、及び多くの他のそのような構成材またはアセンブリを用い得る。使い捨て物品が（製品群の形態であろうと、個別物品の形態の形態であろうと）女性が着用するのに適している物品と男性が着用するのに適している物品とで異なるようにした特定発明の特徴のうちの１若しくは複数を用いる限り、本発明が物品の多くのそのような構造を含むことは、容易に理解されよう。同様に、性別ごとに特化した使い捨て成人用失禁物品を製造するときに、多くの異なる方法、単位操作及び工程が用いられ得る。
【００６７】
本発明の性別ごとに特化した吸収性物品の特定の実施形態で用いられる特徴は、１対の性別ごとに特化した閉じ込めフラップである。閉じ込めフラップは、吸収性物品からの尿及び／または糞便の漏れを減少させることを意図している。図５及び図６は、吸収体アセンブリ５０上に配置された１対の閉じ込めフラップ８０を代表的に示しており、吸収体アセンブリ５０自体は物品のシャーシ３上に配置されているものとして示されている。図５及び図６は、図５及び図６において閉じ込めフラップ８０が付加されていることを除いて、図３及び図４と同一である。図７は、衣類シャーシに取り付けられていない吸収体アセンブリ５０を代表的に示している。図７は、本発明の特定の実施形態とともに用いられる閉じ込めフラップの例示的な実施形態のさらなる詳細を示し、ここでそれについて説明する。（図７に示す吸収体アセンブリ５０は、例えば図５及び図６に示す成人用失禁衣類のシャーシ３に付加されるように、吸収性衣類に付加されることができると考えられる。）図８ａ及び図８ｂは、それぞれ図７の吸収体アセンブリの８ａ−８ａ断面図及び８ｂ−８ｂ断面図を示す。
【００６８】
閉じ込めフラップは、透液性または不透液性の材料を含むあらゆる様々な材料で形成されることができる。例えば、閉じ込めフラップ８０は、スパンボンド、メルトブローン、スパンレースまたはカーディングされた高分子材料などの不織布材料、ポリオレフィンまたはポリウレタンフィルムなどのフィルム材料、発泡材料、またはそれらの組合せを含むことができる。閉じ込めフラップ８０は、外側カバーまたは身体側ライナーに適しているものとして上記した材料も含み得る。具体的な実施形態では、閉じ込めフラップ８０は、スパンボンドまたはメルトブローン・ポリエチレンまたはポリプロピレン材料などの不織布材料から形成され得る。閉じ込めフラップ材料は、ポリオレフィンなどの熱可塑性高分子などの不織布材料；ボンデッドカーデッドウェブ；エチレン酢酸ビニル、エチルメタクリレートフィルムなどのフィルム材料；ポリオレフィンフォームなどの発泡材料；ポリプロピレン、ポリエチレンまたはポリエステルの織布などの織物材料；並びに、上記の不織布材料、フィルム材料、発泡材料及び織物材料の複合材及び積層体を含む。
【００６９】
多くの不織布材料は、疎水性材料から形成される。そのような疎水性材料は、液体の流れに幾分か耐性を示す不織布をもたらす。閉じ込めフラップ８０が液体を概ね透過させることが望ましいならば、そのような不織布材料は、不織布材料を概ね親水性にする界面活性剤で処理され得る。あるいは、閉じ込めフラップ８０が液体を概ね透過させないことが望ましいならば、閉じ込めフラップは、ポリオレフィンフィルムなどの不透液性フィルムを含むことができる。具体的な実施形態では、閉じ込めフラップ８０は、坪量が約３０ｇ／ｍ２のスパンボンド／メルトブローン／スパンボンド積層材料を含む。別の実施形態では、フラップは、疎水性ポリプロピレンベースのスパンボンド材料を含むことができる。
【００７０】
各閉じ込めフラップ８０は、多くの設計変数によって特徴付けられる。例えば、特定の実施形態では、各フラップは、全長８２、有効長８４、前端域縫い付け（タックダウン）長さ８６、後端域縫い付け長さ８８、有効部分の長手方向位置、折り返し幅９０、取付け幅９２、近位縁９４、遠位縁９６、フラップ高さ９８、フラップ張力、遠位縁間間隔９９、及び近位縁間間隔１００を有する。（全てのフラップ寸法は、フラップ張力を除いて、吸収体アセンブリ５０が平らに広げられて完全に伸びた状態の形状にあるときに測定される。フラップ張力の測定技術については後述）。各フラップ８０は、物品の長手方向の中心線２２に略一直線になる方向に延在する。例えば、各フラップは、物品の長手方向の中心線に平行であるか、平行でないか、部分的に平行でかつ部分的に平行でないかであり得る。フラップの全長８２は、物品の長手方向の中心線２２と略一直線になる方向に延在するフラップの寸法である。各フラップの全長８２は、吸収体アセンブリ５０の長さに等しいか、それより短いか、または長いかであり得る。図５〜図７に示す実施形態のような特定の実施形態では、各フラップ８０の全長は、吸収体アセンブリ５０の長さに等しい。
【００７１】
各フラップ８０に、その長さ８２の少なくとも一部に沿って弾性を持たせるようにするために、各フラップ８０に１若しくは複数の弾性部材８１が与えられる。弾性部材は、長寸であり、伸長された状態のまま接着剤（図示せず）を用いてフラップに固定されることによってフラップに機能的に連結される。フラップ基材は、次に、一般的には、図８ｂに代表的に示されているように、１若しくは複数の弾性部材を挟み込むように折り返される。挟み込み部分は、当分野で既知の任意の手段を用いて、例えば接着剤８３を用いて、しっかりと閉じられ得る。或る実施形態では、図８ａ及び図８ｂに示すように、フラップは、「Ｕ字形」折り構造を形成するように完全に半分に折り返される。他の実施形態では、フラップは、「Ｊ字形」折り構造（図示せず）を形成するように部分的にしか重ならないように折り返される。折り返された各フラップは、折り返し幅９０を画定する。
【００７２】
図８ａ及び図８ｂに代表的に示す実施形態のような或る実施形態では、フラップは、身体側ライナーとも衣服側の外側カバーとも一体になっていない材料から製作される。他の実施形態（図示せず）では、フラップ基材は、ライナー、外側カバー、またはその両者と一体になっている。フラップがライナーとも外側カバーとも一体になっていないがその代わりに別個の材料で作られている実施形態では、各フラップの全幅の少なくとも一部が、フラップの長さの少なくとも一部に沿って身体側ライナーに取り付けられて、取付け幅９２を有する取付け部分９１を画定する。そのような取付けは、当分野で既知の任意の適切な手段を用いて、例えば接着剤９３を用いて、達成されることができる。長手方向の中心線２２に最も近いこの取付け部分９１の長手方向縁部は、フラップ近位縁９４と呼ばれる。物品の長手方向の中心線２２に一番近い、フラップの残りの幅の終端となる縁部は、フラップ遠位縁９６と呼ばれる。各フラップ８０の近位縁９４と遠位縁９６と間の横方向距離は、フラップ高さ９８を画定する。
【００７３】
各フラップの長手方向中央領域では、近位縁９４と遠位縁９６間のフラップ部分は、ライナー５２に接着されないままである。対照的に、各フラップ８０の長手方向端部領域において、近位縁９４と遠位縁９６間のフラップ部分は、ライナー５２に接着されて、前端域縫い付け長さ８６を有する前端域縫い付け領域８７及び後端域縫い付け長さ８８を有する後端域縫い付け領域８９を画定する。
【００７４】
弾性材８１は、フラップ全長８２の少なくとも一部に沿って、フラップ８０に、伸長された状態で機能的に連結される。特定の実施形態では、フラップ８０は、その末端部分では弾性が付与されていない。例えば、弾性ストランドは、末端部分に存在し得るが、この長手方向領域における弾性特性を取り除くように細断または別な方法で力をそがれ得る。別の例では、フラップの折り返し部分内のフラップの末端部分の範囲内では接着剤が用いられないので、弾性ストランドは、末端部分から「元の形に戻り」、末端部分を弾性が付与されていないままにするが、これは当分野で一般的な技法である。フラップがフラップに機能的に連結されており、それによってフラップに弾性特性を付与するようなフラップの長手方向部分は、フラップ有効長８４を有するフラップ有効部分８５を画定する。
【００７５】
詳細に後述するように、フラップ有効部分８５の長手方向位置は、特定の目的に合うように変えられることができる。例えば、フラップの有効部分８５は、長手方向に物品の中央に置かれることができ、あるいはある程度まで物品の前部及び後部のウエスト開口部の縁部に向かって移動させることもできる。フラップ有効部分８５の長手方向位置は、特定の実施形態では、吸収性コア前縁２８と吸収性コア前縁２８に最も近いフラップ有効部分８５の終端との間の距離を測定することによって定量化されることができる。あるいは、フラップ有効部分８５の長手方向位置は、特定の実施形態では、製品のウエスト開口部前縁１２とウエスト開口部前縁１２に最も近いフラップ有効部分８５の終端の間の距離を測定することによって定量化されることができる。
【００７６】
同様に詳細に後述するように、使い捨て吸収性物品における１対のフラップ８０の遠位縁９６同士の間の間隔９９（「遠位縁間間隔」）は、特定の目的に合うように変えられることができる。そのような間隔は、吸収性物品の漏れ減少機能に影響を及ぼし得る。遠位縁間間隔９９は、物品が平らに広げられて完全に伸びた状態の形状にあるときに測定される距離であり、１対のフラップ８０の遠位縁９６同士の間の最短横方向距離である。
【００７７】
同様に詳細に後述するように、使い捨て吸収性物品における１対のフラップ８０の近位縁９４同士の間の間隔１００（「近位縁間間隔」）は、特定の目的に合うように変えられることができる。そのような間隔は、吸収性物品の漏れ減少機能に影響を及ぼし得る。近位縁間間隔１００は、物品が平らに広げられて完全に伸びた状態の形状にあるときに測定される距離であり、１対のフラップ８０の近位縁９４同士の間の最短横方向距離である。
【００７８】
物品が着用されるとき、ライナーに接着されないままのフラップ８０の部分、すなわち非取付け部分は、有効部分８５において弾性が与えられるおかげで、（図８ｂに代表的に示されているような）直立形状をとる傾向がある。或る実施形態では、そのような直立形状は、本明細書の他の部分で述べているように、身体に対してシールを形成することができ、使用中の漏れを最小限に抑えるのにさらに役立つ。
【００７９】
各フラップ８０は、弾性ストランドまたは部材８１によって弾性を持たされるので、その有効部分においてフラップ張力を呈する。本発明に従って物品において用いられる閉じ込めフラップの張力は、本明細書において別名弾性張力試験とも呼ばれる次の試験方法によって決定される。試験される各吸収体アセンブリは、折り曲げられていない垂直配置で、吸収体アセンブリの一端（例えば後端）を上にして、吸収体アセンブリの身体側ライナーを横方向にライトボックスの反対側に向けた状態で、従来のライトボックスまたは他の適切な装置から吊り下げられる。（幼児用おむつなどの一部の製品では、吸収体アセンブリは製品の略全長である。プルオン式成人用失禁衣類などの他の製品では、吸収体アセンブリは製品の略全長より短い。そのような場合には、先ず、閉じ込めフラップを損傷しないように気をつけて衣類シャーシから吸収体アセンブリを剥がすか切り取るなどして、吸収体アセンブリをより大きな吸収性シャーシから取り外さなければならない。）ライトボックスは、吸収体アセンブリの両側の閉じ込めフラップ間のおおよその間隔にほぼ一致して互いに離間された１対の固定された上側のクランプを含む。吸収体アセンブリの後端において、ウエストバンドは、もしあれば、略完全に引き伸ばされ（例えば、ウエストバンドのギャザーを除去するかまたは別な方法でウエストバンドを真っ直ぐにするために）、クランプは、吸収体アセンブリ内の吸収性コアのいずれをも締め付けて固定することなくウエストバンドに固定される。試験実施者は、次に、下に向かって指を閉じ込めフラップの両側に滑らせて、吸収体アセンブリを真っ直ぐにして伸ばす。
【００８０】
おむつの前端（すなわち下端）におけるウエストバンド（もしあれば）は、次に、略完全に引き伸ばされ（すなわち、ウエストバンドのギャザーを除去するかまたは別な方法でウエストバンドを真っ直ぐにするために）、おむつが長手方向に伸長させた状態の形状で上側のクランプから自由状態でぶら下がるように、おむつの前端のウエストバンドにクランプウエイトが固定される。クランプウエイトは全質量が約１，０００グラムであり、吸収体アセンブリの前端にクランプウエイトを取り付けるために、中心線同士が約１４０ｍｍ（約５．５インチ）離間されている（例えば、吸収体アセンブリの後端に取り付けられているクランプとほぼ同じように離間されている）１対のクランプを含む。
【００８１】
吸収体アセンブリがこの長手方向に伸長させた状態の形状にあるとき、各閉じ込めフラップ上の、概ね弾性体がフラップに取り付けられている場所に、１対のマーキングが付けられる。より詳細には、各閉じ込めフラップ上の１対のマーキングは、互いから長手方向に距離約１７８ｍｍ離間しており、フラップの有効部分の長手方向の中心から等距離にある。クランプウエイトは、その後、吸収体アセンブリから取り外され、吸収体アセンブリはライトボックスから取り外される。先ず、閉じ込めフラップを、フラップの自由縁（すなわち遠位縁）から、フラップ上に付けられた各マーキングを越えて（すなわち、吸収体アセンブリの一番近い端部に向かって）約０．５インチ（１２．８５ｍｍ）の互いに長手方向に離間した位置におけるフラップの固定された縁部まで、内向きに切断し、次に、フラップの固定された縁部をライナーに固定する玉状または帯状の接着剤の概ね近くを縦に切断することによって、各閉じ込めフラップが吸収体アセンブリから切り取られる。
【００８２】
各試験片（例えば、各閉じ込めフラップのマークされて切断された部分）は、次に、通常固定された上側のクリップ及び通常可動な下側のクリップによって、試験装置に固定される。上下のクリップは、試験片に張力を加える際に試験片が滑ったり破損したりしないように製作される。より詳細には、試験片は、先ず、一端が、該一端に近い試験片マーキングが上側のクリップの前縁（例えば最下縁）と一直線になるようにして、略弛緩（例えば引き伸ばされていない）状態で試験片が上側のクリップから自由状態でぶら下がるように、上側のクリップによって固定される。試験片の重量は風袋を差し引かれ、次に、試験片の他端が、試験片のこの端部に近いマーキングが下側のクリップの前縁（例えば最上縁）と一直線になるようにして、下側のクリップによって固定される。下側のクリップは、次に、吸収体アセンブリの以前に達成された長手方向に伸長させた状態の形状の約９０％になるまで試験片が長手方向に伸長されるまで（例えば、試験片上のマーキング間の間隔が１７８ｍｍの９０％である約１６０ｍｍになる形状まで）、上側のクリップから長手方向に遠ざけられる。試験片は、この状態で約３０秒間維持される。次に、適切なフォースゲージを用いて弾性張力が測定されかつ記録される。少なくとも５つの同等な吸収体アセンブリの閉じ込めフラップ対（すなわち左右両方）は、同一の手順を用いて試験され、結果が平均されてフラップにおける弾性張力が決定される。
【００８３】
物品の長手方向の中心線２２から最も遠いフラップの長手方向縁部９５は、吸収体アセンブリ５０の長手方向縁部７０より横方向内側に配置されるか、横方向外側に配置されるか、横方向に隣接することができる。図５及び図６に代表的に示すような或る実施形態では、レッグ開口部側縁２０を成形するために、吸収体アセンブリの一部が切り取られている。図の実施形態では、各フラップ８０の取付け部分９１の一部が同じように切り取られており、フラップ８０の長手方向縁部９５を吸収体アセンブリ５０の側縁７０に隣接させるような形状を提供している。
【００８４】
男女差に起因して、或る閉じ込めフラップ設計変数は、一方の性の使用者により良好に適合するように最適化されることができることが、本発明の発明者によって発見された。具体的には、或る設計変数は、１つの方法では男性使用者の性能要求に最も適合するように構成されるが、別の方法では女性使用者の性能要求に最も適合するように構成されることができる。閉じ込めフラップ設計変数におけるそのような男女差は、トレーニングパンツ、尿パンツ、成人用失禁物品を含む様々な使い捨て吸収性物品を対象とする。説明を簡単にするために、以下の具体例では、成人用失禁プルオン式吸収性下着との関連で、性別ごとに特化した閉じ込めフラップ設計変数を取り上げる。
【００８５】
特定の実施形態では、男性に適した製品における各閉じ込めフラップ８０の全長８２は、女性に適した製品における各閉じ込めフラップ８０の全長８２と異なり得る。例えば、男性に適した製品における各閉じ込めフラップ８０の全長８２は、女性に適した製品における各閉じ込めフラップ８０の全長８２より長いかまたは短いことがある。特定の実施形態では、男性に適した製品における各閉じ込めフラップの全長は、対応する女性に適した製品における各閉じ込めフラップより少なくとも１０パーセント長いかまたは１０パーセント短い。
【００８６】
特定の実施形態では、男性に適した製品における各閉じ込めフラップ８０の有効長８４は、女性に適した製品における各閉じ込めフラップ８０の有効長８４と異なり得る。例えば、男性に適した製品における各閉じ込めフラップ８０の有効長８４は、女性に適した製品における各閉じ込めフラップ８０の有効長８４より長いかまたは短いことがある。１つの好適実施形態では、男性に適した製品における各閉じ込めフラップ８０の有効長８４は、女性に適した製品における各閉じ込めフラップ８０の有効長８４より長い。例えば、特定の実施形態では、男性に適した成人用失禁衣類における各閉じ込めフラップの有効長は、約２７０ミリメートルないし約３１０ミリメートル、もっと限定すれば約２８５ミリメートルないし約３００ミリメートルであるが、対応する女性に適した成人用失禁衣類における各閉じ込めフラップの有効長は、約１７０ミリメートルないし約２９０ミリメートル、もっと限定すれば約２５０ミリメートルないし約２８０ミリメートルである。
【００８７】
特定の実施形態では、男性に適した製品における各閉じ込めフラップ８０の前端域縫い付け長さ８６は、女性に適した製品における各閉じ込めフラップ８０の前端域縫い付け長さ８６と異なり得る。例えば、男性に適した製品における各閉じ込めフラップ８０の前端域縫い付け長さ８６は、女性に適した製品における各閉じ込めフラップの前端域縫い付け長さ８６より長いかまたは短いことがある。１つの好適実施形態では、男性に適した製品における各閉じ込めフラップ８０の前端域縫い付け長さ８６は、女性に適した製品における各閉じ込めフラップ８０の前端域縫い付け長さ８６より短い。
【００８８】
特定の実施形態では、男性に適した製品における各閉じ込めフラップ８０の後端域縫い付け長さ８８は、女性に適した製品における各閉じ込めフラップ８０の後端域縫い付け長さ８８と異なり得る。例えば、男性に適した製品における各閉じ込めフラップ８０の後端域縫い付け長さ８８は、女性に適した製品における各閉じ込めフラップ８０の後端域縫い付け長さ８８より長いかまたは短いことがある。１つの好適実施形態では、男性に適した製品における各閉じ込めフラップ８０の後端域縫い付け長さ８８は、女性に適した製品における各閉じ込めフラップ８０の後端域縫い付け長さ８８より長い。
【００８９】
特定の実施形態では、男性に適した製品における各閉じ込めフラップ８０の有効部分の長手方向位置は、女性に適した製品における各閉じ込めフラップ８０の有効部分の長手方向位置と異なり得る。例えば、男性に適した製品における各閉じ込めフラップ８０の有効部分の長手方向位置は、女性に適した製品における各閉じ込めフラップ８０の有効部分の長手方向位置より長いかまたは短いことがある。１つの好適実施形態では、男性に適した製品における各閉じ込めフラップ８０の有効部分の長手方向位置は、女性に適した製品における各閉じ込めフラップ８０の有効部分の長手方向位置よりも製品の前部に近い。例えば、特定の実施形態では、男性に適した成人用失禁衣類における各閉じ込めフラップの有効部分の長手方向位置は、製品のウエスト開口部前縁から約１００ミリメートルないし約１５０ミリメートル、もっと限定すれば約１１０ミリメートルないし約１４０ミリメートルの位置から開始するが、対応する女性に適した成人用失禁衣類における各閉じ込めフラップの有効部分の長手方向位置は、製品のウエスト開口部前縁から約１９０ミリメートルないし約２６０ミリメートル、もっと限定すれば約２００ミリメートルないし約２３０ミリメートルの位置にある。
【００９０】
特定の実施形態では、男性に適した製品における各閉じ込めフラップ８０の高さ９８は、女性に適した製品における各閉じ込めフラップ８０の高さ９８と異なり得る。例えば、男性に適した製品における各閉じ込めフラップ８０の高さ９８は、女性に適した製品における各閉じ込めフラップ８０の高さ９８より大きいかまたは小さいことがある。１つの好適実施形態では、男性に適した製品における各閉じ込めフラップ８０の高さ９８は、女性に適した製品における各閉じ込めフラップ８０の高さ９８より大きい。例えば、特定の実施形態では、男性に適した成人用失禁衣類における各閉じ込めフラップの高さは、約１インチ（２５ミリメートル）ないし約１．２５インチ（３２ミリメートル）であるが、対応する女性に適した成人用失禁衣類における各閉じ込めフラップの高さは、約０．７５インチ（１９ミリメートル）ないし約１インチ（２５ミリメートル）である。
【００９１】
特定の実施形態では、男性に適した製品における各閉じ込めフラップ８０の張力は、女性に適した製品における各閉じ込めフラップ８０の張力と異なり得る。例えば、男性に適した製品における各閉じ込めフラップ８０の張力は、女性に適した製品における各閉じ込めフラップ８０の張力より大きいかまたは小さいことがある。１つの望ましい実施形態では、男性に適した製品における各閉じ込めフラップ８０の張力は、女性に適した製品における各閉じ込めフラップ８０の張力より小さい。例えば、特定の実施形態では、男性に適した成人用失禁衣類における各閉じ込めフラップの張力は５０グラム未満であるが、対応する女性に適した成人用失禁衣類における各閉じ込めフラップの張力は５０グラムに等しいかまたはそれ以上である。他の実施形態では、女性に適した成人用失禁衣類における各閉じ込めフラップの張力は５０グラム未満であるが、対応する男性に適した成人用失禁衣類における各閉じ込めフラップの張力は５０グラムに等しいかまたはそれ以上である。
【００９２】
特定の実施形態では、男性に適した製品における１対のフラップ８０間の遠位縁間間隔９９は、女性に適した製品における１対のフラップ８０間の遠位縁間間隔９９と異なり得る。例えば、男性に適した製品における遠位縁間間隔９９は、女性に適した製品における遠位縁間間隔９９より大きいかまたは小さいことがある。１つの好適実施形態では、男性に適した製品における遠位縁間間隔９９は、女性に適した製品における遠位縁間間隔９９より大きい。例えば、特定の実施形態では、男性に適した成人用失禁衣類における遠位縁間間隔は少なくとも１００ミリメートルであるが、対応する女性に適した成人用失禁衣類における遠位縁間間隔は１００ミリメートル未満である。
【００９３】
特定の実施形態では、男性に適した製品における１対のフラップ８０間の近位縁間間隔１００は、女性に適した製品における１対のフラップ８０間の近位縁間間隔１００と異なり得る。例えば、男性に適した製品における近位縁間間隔１００は、女性に適した製品における近位縁間間隔１００より大きいかまたは小さいことがある。１つの好適実施形態では、男性に適した製品における近位縁間間隔１００は、女性に適した製品における近位縁間間隔１００より大きい。例えば、特定の実施形態では、男性に適した成人用失禁衣類における近位縁間間隔は少なくとも１５０ミリメートルであるが、対応する女性に適した成人用失禁衣類における近位縁間間隔は１５０ミリメートル未満である。
【００９４】
本明細書において様々な特徴（閉じ込めフラップなど）のための性別ごとに特化した構造について説明するときには、一方では男性、他方では女性に特に合わせてある１若しくは複数の設計変数を有する製品の比較が行われるとき、それらの性別ごとに特化した特徴を有する男性及び女性用製品は、概ね同じサイズの着用者のためにデザインされていると考えられることに留意されたい。例えば、或る成人用失禁衣類が、男性用に３つのサイズ（例えばＳ、Ｍ、Ｌ）、女性用にも３つの異なるサイズ（例えばＳ、Ｍ、Ｌ）で、全部で６つの異なる製品コードにわたって売り出される場合には、任意の性別ごとに特化した設計変数（例えば閉じ込めフラップ高さ）の比較は、サイズが均一な製品に関して調べられるべきである（例えば、男性Ｓサイズと女性Ｓサイズ、男性Ｍサイズと女性Ｍサイズ、男性Ｌサイズと女性Ｌサイズを比較する）。同様に、或る成人用失禁衣類が、男性用及び女性用の各々に吸収性を変えて（低吸収性及び高吸収性など）売り出される場合には、任意の性別ごとに特化した設計変数（例えば閉じ込めフラップ高さ）の比較は、特定のサイズに対して、似たような吸収性を持つ製品が調べられるべきである（例えば低吸収性の男性用製品を低吸収性の女性用製品と、高吸収性の男性用製品を高吸収性の女性用製品と比較する）。
【００９５】
上記した性別ごとに特化した閉じ込めフラップ特徴は、性別ごとに特化した吸収性物品の売り出しにおいて性別ごとに特化した特徴のみを構成することができるか、あるいは、上記した特徴などの他の性別ごとに特化した衣類デザイン特徴と共に用いられることができることも留意されたい。例えば、男性に適している成人用失禁衣類と女性に適している成人用失禁衣類とのデザインの違いは、閉じ込めフラップ特徴に関する１若しくは複数のデザインの違いに限定されることができる。あるいは、男性に適している成人用失禁衣類と女性に適している成人用失禁衣類とのデザインの違いは、閉じ込めフラップ特徴に関するデザインの違いと、例えば、レッグ切り取り形状、ガスケット幅、股幅などの他の特徴に関するデザインの違いとを含むことができる。
【００９６】
物品それ自体は、典型的には、高分子フィルム製の袋などのパッケージに収められ、出荷されて、販売される。本発明の別の代表的な形態は、使い捨て成人用失禁物品の組であって、上記した性別ごとに特化した本発明の寸法的特徴（例えば、長さ、幅、距離、または他のそのような測定値に関する発明の特徴）、装飾的特徴（例えば物品上に図柄を配置することに関する発明の特徴）、または他の特徴のうちの１若しくは複数を含み、女性が着用するのに適している第１の使い捨て成人用失禁物品は、第１の記述または第１のマークが載っている第１のパッケージ（例えば袋などの包装材）内に包含され、男性が着用するのに適している第２の使い捨て成人用失禁物品は、第２の記述または第２のマークが載っている第２のパッケージ（例えば袋などの包装材）内に包含され、第１の記述またはマークは、女性が用いる物品を連想させ、第２の記述またはマークは、男性が用いる物品を連想させる該組である。パッケージはまた、パッケージ内に包含される物品が、男性が着用するのに適しているのか、それとも女性が着用するのに適しているのかによって、異なる図柄、色、記号、ロゴ、または他のそのような表示を有し得る。さらに、組の一部ではない性別ごとに特化した物品に対して、パッケージを使用するこれらの同じ実施形態が、１つの性別ごとに特化した物品に用いられ得る。
【００９７】
例えば、男性が着用するのに適している使い捨て成人用失禁物品を包含するパッケージ（通常は、ビニール袋などの包装材の形態をとることになる）は、男性の絵／写真、物品を男性による使用と結び付ける文章、男性に特有のサイズ及び／または吸収性情報、物品自体に配置される異なる図柄のおかげで異なる、パッケージ内に包含されている物品を表す図柄、例えば、ウエスト開口部に隣接した１若しくは複数のブルーのストライプを有する男性が着用するのに適している物品を表す図柄、物品を性別ごとに特化したものにする１若しくは複数の特徴を使用者に伝える文章、またはそれらのいくつかの組合せを有し得る。
【００９８】
同様に、別の例示的な形態では、女性が着用するのに適している使い捨て成人用失禁物品を包含するパッケージは、女性の絵／写真、物品を女性による使用と結び付ける文章、女性に特有のサイズ及び／または吸収性情報、物品自体に配置される異なる図柄のおかげで異なる、パッケージ内に包含されている物品を表す図柄、例えば、ウエスト開口部に隣接した１若しくは複数のピンクのストライプを有する女性が着用するのに適している物品を表す図柄物品を性別ごとに特化したものにする１若しくは複数の特徴を使用者に伝える文章、またはそれらのいくつかの組合せを有し得る。
【００９９】
本発明に係る性別ごとに特化した物品の組の製造業者、販売者、または流通業者は、使用者が当該性別ごとに特化した物品の恩恵を享受するように当該物品に対する認識を促そうと努めている。従って、本発明の別の代表的な形態は、性別ごとに特化した使い捨て成人用失禁物品を提供する方法であり、該方法は、性別ごとに特化した使い捨て成人用失禁物品に注意を向ける有形的表現媒体において具現化された記述を伝達するステップと、使用者の性に適している使い捨て成人用失禁物品を使用者の手に取らせるステップとを含む。
【０１００】
記述は、新聞広告、テレビ広告、ラジオまたは他の音声広告、ダイレクトメール、ダイレクトＥメール、インターネットウェブページまたは他のそのような投稿、独立折り込み広告、クーポン、様々なプロモーション活動（例えば商業プロモーション）、他の会社との共同販売促進、製品を含む箱またはパッケージ、及び他のそのような消費者または潜在的消費者への情報発信形式という形をとる（すなわち、そのような媒体において具現化される）ことができる様々な伝達情報、記述、メッセージ、またはコピーを用いて伝達され得る。
【０１０１】
上記したように、本発明の一部の形態は、男性が使用するのに適している物品及び女性が使用するのに適している物品を含まないことがある。代わりに、本発明の一部の形態は、男女共用の使い捨て成人用失禁物品と、（１）本明細書に記載の発明の特徴のうちの１若しくは複数を含む女性が着用するのに適している使い捨て成人用失禁物品、または（２）本明細書に記載の発明の特徴のうちの１若しくは複数を含む男性が着用するのに適している使い捨て成人用失禁物品とを含む。上記したものを含めた様々な包装及びマーケティング方法が、男女共用物品を含む前述の使い捨て成人用失禁物品の組の数々と共に用いられ得る。
【０１０２】
また、上記したように、本発明の或る実施形態は、１若しくは複数のフィット特徴、レッグ開口部特徴、及び／または閉じ込めフラップ特徴を含む性別ごとに特化した使い捨て成人用失禁物品を含む。前述の使い捨て成人用失禁物品の組の数々と同様に、上記したものを含めた様々な適用可能な包装及びマーケティング方法が、これらの性別ごとに特化した物品と共に用いられ得る。従って、例えば、本発明の一部の形態では、フィット特徴、レッグ開口部特徴または閉じ込めフラップ特徴を含む女性が着用するのに適している使い捨て成人用失禁物品は包装材内に包含され、包装材上に配置される記述またはマークは、フィット特徴、レッグ開口部特徴または閉じ込めフラップ特徴を、女性による物品の使用と結び付ける。発明の他の形態では、フィット特徴、レッグ開口部特徴または閉じ込めフラップ特徴を含む男性に適している使い捨て成人用失禁物品は包装材内に包含され、当該包装材上に配置される記述またはマークは、フィット特徴、レッグ開口部特徴または閉じ込めフラップ特徴を、男性による物品の使用と結び付ける。
【０１０３】
例
【０１０４】
以下の例は、本発明と併用されることができる或る特徴を代表的に示す。性別ごとに特化した使い捨て成人用失禁物品の組が製造された。物品は、従来の材料及び工程を用いて製造されており、図１及び図２に示す形状に概ね対応させている。製造された物品に概ね対応するより詳細な図面は、図３（男性用物品）及び図４（女性用物品）に示されている。
【０１０５】
用いられた材料には、シャーシ構造の大部分のためのポリプロピレン不織布材料と、吸収体アセンブリのための防湿バリア／裏面シート／外側カバーとしてのフィルムと、セルロース製フラッフ及び高吸収性材料を含む吸収性コアと、ウエスト開口部、レッグ開口部、並びに前部及び後部パネルの一部／物品の一部の周りの弾性ストランドとが含まれていた。構成材同士を互いに取り付けるために、ホットメルト接着剤または超音波エネルギーが用いられた。この例示的な実施形態では、砂時計のような形状を有するポリプロピレン不織布材料が、外側カバーとしての機能を果たした。これに、物品の前部及び後部部分で、不織布の前部及び後部パネルが取り付けられた（弾性ストランドが、これらの不織布の前部及び後部パネルと不織布外側カバー間の様々な位置に挟装されている）。前部パネルは、ウエスト開口部前縁に最も近い位置から股部分に隣接した位置まで、長手方向に延在した（しかし、実質的に砂時計様の外側カバーの股部分に重なってはいなかった）。後部パネルは、ウエスト開口部後縁に最も近い位置から股部分に隣接した位置まで、長手方向に延在した（しかし、前部パネルのように、実質的に砂時計様のポリプロピレン製外側カバーの股部分に重なってはいなかった）。前部パネル及び後部パネルは共に、物品の前部部分及び後部部分の一方の側縁に隣接した位置から対向する側縁まで、横方向に延在した。
【０１０６】
バリア／裏面シート材料（フィルム）と身体側ライナー（不織布材料）の間に挟装されたフラッフ／高吸収性コアを含む吸収性インサートが、物品の前部部分及び後部部分において不織布製前部パネルと不織布製後部パネルの間に挟装された弾性ストランドを有する砂時計のような形状の外側カバーの前述のアセンブリに取り付けられた。適切な寸法及び２つの物品間の相互関係を表２に示す。
【０１０７】
男性用物品の前方長さ６０は、約２１０ミリメートルであり、もし、レッグ開口部前縁が略直線状でかつ股部分に隣接した位置から側縁そのものから僅かな角度をなして上向きに進んだならば、前方長さ６０は、前部部分の側縁に重なっていた（図３を参照）。女性用物品の前方長さ６０Ｆは、約１９０ミリメートルであったが、ウエスト開口部前縁に最も近いレッグ開口部前縁上の点から測定した（図４を参照）。この線は、物品の長手方向の中心線に平行であり、もし、女性用物品のレッグ開口部前縁によって確立される曲線をなす境界線が、対応する男性用物品のレッグ開口部前縁によって確立される対応するライナー境界線に比べて、ウエスト開口部前縁に向かう方向により凸状をなすならば、この線は前部部分の側縁の内側にある。より大きな凸状部分を有する女性用物品のレッグ開口部前縁は、そのような使い捨て成人用失禁物品の典型的な女性使用者の大腿上部領域の曲面に従うようにより良好に適合されている。
【０１０８】
図３の試験は、男性が着用するのに適している物品のこの例示的な形態のレッグ開口部後縁６２も実質的に直線状であり、股部分に隣接した位置から後部部分の側縁まで僅かな角度をなして下向きに進んだことを示している。例示的な女性用物品のレッグ開口部後縁６２Ｆは、しかしながら、実質的に直線の境界線を画定しないが、代わりに、ウエスト開口部後縁に向かう方向においてより凹んだ曲線をなす境界線を画定する。より大きな凹状部分を有する女性用物品のレッグ開口部後縁は、そのような使い捨て成人用失禁物品の典型的な女性使用者の臀部領域を確実に覆うように、より良好に適合されている。
【０１０９】
表２はまた、女性用物品のレッグ開口部周縁部の長さ（これは、レッグ開口部の後縁、側縁及び前縁の長さの合計に等しい）が、男性用物品のレッグ開口部の周縁部より大きいことを示している。この場合もやはり、このレッグ開口部特徴は、男性は、年をとるにつれて、脚の筋肉量が低下する傾向があり、その結果、多くの男性の成人用失禁製品使用者は、典型的には、多くの女性の成人用失禁製品使用者より小さな大腿囲を有することになるという見解と一致する。
【０１１０】
さらに、表２は、男性用物品が、対応する女性用物品の股幅及びガスケット幅より大きな股幅及びガスケット幅を有することを示している。男性用物品のガスケット幅６４（図３を参照）は約４０ミリメートル、女性用物品のガスケット幅は約２０ミリメートルであった（吸収性コアの縁部とレッグ開口部側縁に一番近い最も外側の弾性部材とが極めて近接しているので図４に図示していないが、男性用物品上の対応する位置と同じ位置で、レッグ開口部側縁の中央を横切る横方向の線に沿って測定される）。
【０１１１】
また、女性の身体に比べて男性の身体から尿が典型的には放出される箇所に対応するように、吸収体の位置は、女性用物品に比べて男性用物品では前方に移された。従って、男性用物品のウエスト／吸収体距離６６は約１２０ミリメートル、対応する女性用物品のウエスト／吸収体距離６６Ｆは約１８０ミリメートルであった。これらの距離は、吸収性コアの縁部（図３における６８及び図４における６８Ｆ）から測定されたことに留意されたい。縁部７０及び７０Ｆは、吸収性コアを包み込む基材の側縁（すなわち吸収体アセンブリの側縁）に相当し、縁部７２及び７２Ｆは、吸収性コアを包み込む基材の末端縁（すなわち吸収体アセンブリの末端縁）に相当し、これらの基材は、吸収性コアそのものを越えて延在して、コアを囲繞する柔らかいフランジを作り出す。上記したように、ガスケット幅及びウエスト／吸収体長さ／距離は、吸収性コアの端部を包み込みかつ吸収性コアを実質的に越えて延在する基材の端部ではなく、吸収性コアの縁部から測定される。図１及び図２は、吸収性コア及びサージ材料を示しているが、吸収性コア及びサージ材料を包み込む基材の外周縁を示していないことにも留意されたい。その一方で、図３及び図４は、サージ材料を示していないが、吸収性コア及び吸収性コアを包み込むために用いられる基材の周縁部の両者を示している。
【０１１２】
最後に、図示されていないが、異なる色のストライプが、ウエスト開口部に隣接した位置において、各物品の周りに配置された。この代表的な実施形態では、複数のブルーのストライプが男性用物品の周縁部の周りに配置され、複数のピンクのストライプが女性用物品の周縁部の周りに配置された。
【表２】
2011517985.tif 000004
【０１１３】
図５及び図６は、例示的な性別ごとに特化した吸収性物品であって、図３及び図４に示したものと類似であるが、閉じ込めフラップを付加したものを示している。図５及び図６に示す吸収性物品は、表２に載っている特徴において互いに異なるが、そのような相違は任意選択である。製品は、必要に応じて、上記で概要を述べた１若しくは複数の性別ごとに特化した閉じ込めフラップ特徴においてのみ異なることがある。性別ごとに特化したフラップ特徴を有する吸収性物品の組において変化し得るいくつかの閉じ込めフラップ特徴に対する特定値の１つの代表的な例を表３に示す。
【表３】
2011517985.tif 000005
【図１】
2011517985.tif 000006
【図２】
2011517985.tif 000007
【図３】
2011517985.tif 000008
【図４】
2011517985.tif 000009
【図５】
2011517985.tif 000010
【図６】
2011517985.tif 000011
【図７】
2011517985.tif 000012
【図８ａ】
2011517985.tif 000013
【図８ｂ】
2011517985.tif 000014
【国際調査報告】
2011517985.tif 000015
2011517985.tif 000016
2011517985.tif 000017